(57)【要約】【課題】簡易な構成で単位レジスタの最終段をリセットするシフトレジスタを備えた固体撮像装置を提供する。【解決手段】シフトレジスタは、  最終段の単位レジスタＲｅｓ４とその前段の単位レジスタＲｅｓ３との間に備えられ、最終段の動作クロックＣｌｋ２とは位相の異なる動作クロックＣｌｋ１によりオン及びオフするトランジスタＴｒ６と、最終段の前々段の出力信号ＩｎｖＩＮを反転するインバータ１１と、インバータ１１の出力ＩｎｖＯＵＴでオンすることにより、前記トランジスタＴｒ６を介して最終段入力をローレベルにするリセットトランジスタ３−３とを有する。【選択図】図１
2004289250.tif 000002
【特許請求の範囲】
【請求項１】
ダイナミックロジック回路により形成され、二次元に配列された撮像素子の行又は列を順次選択するためのシフトレジスタを有する固体撮像装置であって、
前記シフトレジスタは、
信号を保持する複数段の単位レジスタと、
最終段から１段以上前段の単位レジスタの出力信号を用いて最終段の単位レジスタへの入力信号をリセットする最終段リセット回路を有する
ことを特徴とする固体撮像装置。
【請求項２】
前記最終段リセット回路は、最終段の前々段の単位レジスタから前段の単位レジスタへの出力信号を用いて最終段の単位レジスタへの入力信号をリセットする
ことを特徴とする請求項１記載の固体撮像装置。
【請求項３】
前記最終段リセット回路は、
最終段の単位レジスタとその前段の単位レジスタとの間に備えられ、最終段の動作クロックとは位相の異なる動作クロックによりオン及びオフするトランジスタと、
最終段の１段以上前段の単位レジスタの出力信号を反転するインバータと、
インバータ出力によりオンすることにより、前記トランジスタを介して最終段入力をローレベルにするリセットトランジスタと
を有することを特徴とする請求項１又は２記載の固体撮像装置。
【請求項４】
前記固体撮像装置は、さらに、
各単位レジスタの出力信号を用いて、当該単位レジスタの１段以上前段の単位レジスタへの信号をリセットする信号リセット回路を備える
ことを特徴とする請求項１、２又は３記載の固体撮像装置。
【請求項５】
前記信号リセット回路は、
各単位レジスタの出力信号を用いて、当該単位レジスタの前々段から前段への出力信号をリセットする
ことを特徴とする請求項４記載の固体撮像装置。
【請求項６】
ダイナミックロジック回路により形成され、二次元に配列された撮像素子の行又は列を順次選択するためのシフトレジスタを有する固体撮像装置の駆動方法であって、
前記シフトレジスタは、信号を保持する複数段の単位レジスタを有し、
前記駆動方法は、
最終段から１段以上前段の単位レジスタの出力信号を用いて最終段の単位レジスタへの入力信号をリセットする最終段リセットステップと
を有することを特徴とする駆動方法。
【請求項７】
前記最終段リセットステップにおいて、最終段の前々段の単位レジスタから前段の単位レジスタへの出力信号を用いて最終段の単位レジスタへの入力信号をリセットする
ことを特徴とする請求項６記載の駆動方法。
【請求項８】
前記シフトレジスタは、最終段の単位レジスタとその前段の単位レジスタとの間に備えられ最終段の動作クロックとは位相の異なる動作クロックによりオン及びオフするトランジスタと、最終段の前々段の出力信号を反転するインバータと、インバータ出力によりオンすることにより、前記トランジスタを介して最終段入力をローレベルにするリセットトランジスタとからなる最終段リセット回路を有し、
前記最終段リセットステップにおいて、前記最終段リセット回路によって最終段の単位レジスタへの入力信号をリセットする
ことを特徴とする請求項７記載の駆動方法。
【請求項９】
前記駆動方法は、さらに、
ハイレベルを出力した単位レジスタの出力信号を用いて、当該単位レジスタの１段以上前段の単位レジスタへの信号をリセットする信号リセットステップを有する
ことを特徴とする請求項６、７又は８記載の駆動方法。
【請求項１０】
前記信号リセットステップにおいて、ハイレベルを出力した単位レジスタの出力信号を用いて、当該単位レジスタの前々段から前段への出力信号をリセットする
ことを特徴とする請求項９記載の固体撮像方法。
【請求項１１】
請求項１から５の何れかに記載の固体撮像装置を備えることを特徴とするカメラ。
【発明の詳細な説明】
【０００１】
【発明の属する技術分野】
ダイナミック型シフトレジスタを含むＭＯＳ型固体撮像装置に関し、特にダイナミック型シフトレジスタのリセット動作の改良に関する。
【０００２】
【従来の技術】
近年、固体撮像装置の一つとして、増幅型ＭＯＳセンサを用いた固体撮像装置が注目されている。この固体撮像装置は、画素を表すセル毎にフォトダイオードで検出した信号をトランジスタで増幅するものであり、高感度という特徴を持つ。
【０００３】
このような固体撮像装置では、二次元に配列された画素を有する撮像素子を水平走査又は垂直走査する回路としてダイナミック型シフトレジスタが用いられ、回路の簡素化、高密度化及び低消費電力化を図っている。
【０００４】
図６は、従来の一般的な固体撮像装置の概略構成を示すブロック図である。この固体撮像装置は、二次元に配列された画素を有する撮像部６１と、撮像部６１の一行を選択するための行選択信号を出力するシフトレジスタ６２と、選択された行内の一画素するための画素選択信号を出力するシフトレジスタ６３と、選択された画素から画素信号を取り出す画素処理部６４と、取り出された画素信号を増幅するプリアンプ６５とを備える。
【０００５】
図７は、ＮＭＯＳダイナミック型のシフトレジスタの構成を示すブロック図であり、シフトレジスタ６２、６３として利用される。同図では４段しか示していないが、実際には数百〜数千段ある。
【０００６】
図中の、クロック信号Ｃｌｋ１及びＣｌｋ２はシフト動作の基準となる二相クロック信号である。Ｃｌｋ１信号は奇数番目の単位レジスタに、Ｃｌｋ２信号は偶数番目の単位レジスタに入力される。これにより、奇数番目の単位レジスタと偶数番目の単位レジスタとが交互に動作する。
【０００７】
同図において、Ｒｅｓ１、Ｒｅｓ２・・・（何れか１つを指す場合はＲｅｓと略す）は、入力信号Ｉｎの論理値をクロック信号Ｃｌｋに同期して内部に記憶し、記憶した論理値を出力信号Ｏｕｔ及び出力信号Ｎｅｘｔとして出力する単位レジスタである。出力信号Ｏｕｔは、行選択信号又は列選択信号として撮像部６１に出力される。
【０００８】
トランジスタＴｒ３−１、３−２、・・・（同Ｔｒ３）は、単位レジスタへの入力信号Ｉｎをリセットするリセットトランジスタである。すなわち、トランジスタＴｒ３は、それが接続された入力信号Ｉｎを有する単位レジスタの次段の単位レジスタの出力Ｏｕｔがハイレベルのときに入力信号Ｉｎをローレベルにすることによって、当該単位レジスタと前段の単位レジスタ内の記憶素子に蓄積された電荷を放電して入力信号Ｉｎをリセットする。もし、リセットしなければ単位レジスタ内部にいつまでも電荷が残りハイレベルを保ち続けるからである。リセットされた後は、ローレベル又はハイインピーダンスとなる。
【０００９】
図８（ａ）は、単位レジスタの構成を示す回路図である。同図のように単位レジスタは、ＮＭＯＳ型トランジスタＴｒ１、Ｔｒ２、キャパシタＣ１からなる。入力信号Ｉｎがハイレベルである場合の単位レジスタの動作説明図を図８（ｂ）に示す。入力信号Ｉｎがハイレベルであるので、クロック信号Ｃｌｋの立ち上がり（図中▲１▼）の前に、トランジスタＴｒ１のゲート容量及びキャパシタＣ１の電位によってトランジスタＴｒ１のゲート電極は既にハイレベルになっている。この状態で、クロック信号Ｃｌｋがローレベルからハイレベルに立ち上がると、トランジスタＴｒ１のゲート電圧ＩｎがキャパシタＣ１を介して昇圧（ブートと呼ぶ）される（同▲２▼）。また、トランジスタＴｒ１はゲートにハイレベルより高電圧が印加されることから、ゲート下のポテンシャルがクロック（ｃｌｋ）のハイレベル以上になりＯｕｔ信号にＣｌｋ信号のハイレベルが出力される（同▲３▼）。Ｃｌｋ信号が立ち下がると、Ｏｕｔ信号にＣｌｋ信号のローレベルが出力される。このとき、Ｎｅｘｔ信号は、一方向性トランジスタＴｒ２のゲート容量にハイレベルが保持されているので、Ｃｌｋ信号が立ち下がった後もハイレベルを出力する。
【００１０】
一方、入力信号Ｉｎがローレベル（又はフローティング）である場合にはトランジスタＴｒ１がオンしないので、クロック信号Ｃｌｋが入力されても、Ｏｕｔ信号、Ｎｅｘｔ信号は何れもローレベル（又はフローティング）のままである。
【００１１】
図９は、シフトレジスタにおけるシフト動作を示すタイムチャートである。同図においてクロック信号Ｃｌｋ１、Ｃｌｋ２、入力信号（又は内部データ）Ｉｎ１〜Ｉｎ４、出力信号Ｏｕｔ１〜Ｏｕｔ４は、図７、図８に示した信号である。
【００１２】
まず、単位レジスタＲｅｓ１は、Ｃｌｋ１信号（図中▲１▼）に同期して、ハイレベル状態の入力信号Ｉｎ１をブートして内部に保持する（同▲２▼）。これと同時に画素選択信号としてＯｕｔ１信号を出力し（同▲３▼）、Ｎｅｘｔ１信号をハイレベルにする。ハイレベルになったＮｅｘｔ１信号は入力信号Ｉｎ２として次段の単位レジスタＲｅｓ２に入力される。このとき、Ｃｌｋ１信号が入力された他の奇数番目の単位レジスタは、その入力がローレベル（又はハイインピーダンス状態）であり、内部にハイレベルを取り込まない。
【００１３】
このようにして、クロック信号Ｃｌｋ１が供給されている奇数番目の単位レジスタのシフト動作がなされる。次のクロック信号Ｃｌｋ２によって、偶数番目の単位レジスタのシフト動作がなされる。
【００１４】
また、出力信号Ｏｕｔ２がハイレベルになると、リセットトランジスタＴｒ３−１がオンになり、入力信号Ｉｎ１をローレベルにするので、単位レジスタＲｅｓ１内部のトランジスタＴｒ１のゲート容量及びキャパシタＣ１の電荷が放電し、単位レジスタＲｅｓ１の入力信号Ｉｎ１がリセットされる。
【００１５】
出力信号Ｏｕｔ３がハイレベルになると、リセットトランジスタＴｒ３−２がオンになり、単位レジスタＲｅｓ２内のトランジスタＴｒ１のゲート容量及びキャパシタＣ１が放電すると共に、Ｎｅｘｔ１信号線を介して単位レジスタＲｅｓ１内の一方向性トランジスタＴｒ２のゲート容量の電荷も放電する。これにより単位レジスタＲｅｓ２の入力信号Ｉｎ２がリセットされる。
【００１６】
このようにして、ＮＭＯＳ型ダイナミックシフトレジスタは、ハイレベルを出力した単位レジスタが、前段の単位レジスタへの入力信号Ｉｎをリセットする。
このようなシフトレジスタの先行技術として特許文献１がある。特許文献１では、単位レジスタ間を順方向に接続するトランジスタ群と、逆方向に接続するトランジスタ群を備えることによりシフト方向を選択可能な双方向シフトレジスタを開示している。
【００１７】
【特許文献１】
特開昭６４−４４１７８号公報
【００１８】
【発明が解決しようとする課題】
ところで、上記従来技術おけるシフトレジスタによれば、後段の単位レジスタの出力Ｏｕｔによって前段の単位レジスタの入力信号をリセットしているので、最終段の単位レジスタの入力信号を同じようにしてリセットすることができず、最終段の単位レジスタへの入力信号のリセットは別扱いにする必要がある。
【００１９】
最終段の単位レジスタへの入力信号をリセットする例として、最終段の後段にさらにリセットのための単位レジスタを追加しておく構成や、全ての単位レジスタへの入力信号をリセットするオールクリア機能を備えておき、最終段のリセットはオールクリアによって行う構成などがあり、上記特許文献１でも同様の構成と考えられる。
【００２０】
しかし、これらはいずれも冗長な構成を含む点で、簡易なリセット方法が必要である。
上記問題に鑑み本発明は、簡易な構成で単位レジスタの最終段の入力信号をリセットするシフトレジスタを備えた固体撮像装置、固体撮像装置の方法及びカメラを提供することを目的とする。
【００２１】
【課題を解決するための手段】
上記課題を解決するため本発明の固体撮像装置は、ダイナミックロジック回路により形成され、二次元に配列された撮像素子の行又は列を順次選択するためのシフトレジスタを有する固体撮像装置であって、前記シフトレジスタは、信号を保持する複数段の単位レジスタと、最終段の単位レジスタに備えられ、最終段から１段以上前段の単位レジスタの出力信号を用いて最終段の単位レジスタへの入力信号をリセットする第２リセット回路とを有する。ここで前記最終段リセット回路は、最終段の前々段の単位レジスタから前段の単位レジスタへの出力信号を用いて最終段の単位レジスタへの入力信号をリセットする構成としてもよい
この構成によれば、最終段の単位レジスタは最終段リセット回路によりリセットされる。しかも、最終段リセット回路は、最終段から１段以上前段の単位レジスタの出力信号を用いるので、余分に単位レジスタを設ける必要がなく、全単位レジスタを同時にリセットする回路を備える必要もなく、簡易な構成で最終段の単位レジスタを確実にリセットすることができるという効果がある。
【００２２】
ここで、前記最終段リセット回路は、最終段の単位レジスタとその前段の単位レジスタとの間に備えられ、最終段の動作クロックとは位相の異なる動作クロックによりオン及びオフするトランジスタと、最終段の１段以上前段の単位レジスタのの出力信号を反転するインバータと、インバータ出力によりオンすることにより、前記トランジスタを介して最終段入力をローレベルにするリセットトランジスタとを有する構成としてもよい。
【００２３】
この構成によれば、最終段リセット回路は２つのトランジスタと１つのインバータから構成されるので、最終段の単位レジスタのリセットを簡易な構成によって、実現することができる。
【００２４】
ここで、前記最終段リセット回路は、最終段の前々段の単位レジスタから前段の単位レジスタへの出力信号を用いて最終段の単位レジスタへの入力信号をリセットし、  最終段の単位レジスタに備えられた前記信号リセット回路が、最終段の単位レジスタの出力信号によって、最終段の前々段の単位レジスタから前段の単位レジスタへの出力信号をリセットする構成としてもよい。
【００２５】
この構成によれば、最終段の単位レジスタに備えられた第１リセット回路において最終段の前段の単位レジスタへの入力信号のリセットを、最終段の単位レジスタの出力信号によって行った後に、最終段リセット回路において最終段をリセットするので、最終段の出力信号が出力されてシフト動作を完了した直後に、最終段の単位レジスタを確実にリセットすることができるという効果がある。
【００２６】
また、本発明の固体撮像装置の駆動方法及びカメラも上記と同様の手段、作用、効果を有する。
【００２７】
【発明の実施の形態】
図１は、本発明の実施の形態におけるシフトレジスタの構成を示すブロック図である。このシフトレジスタは、図６に示した固体撮像装置を備えるカメラにおいて、行選択信号を出力するシフトレジスタ６２、画素選択信号を出力するシフトレジスタ６３の何れか、又は両者として備えられる。図１では便宜上４段しか図示していないが、実際には画素数に応じて数百〜数千の段数が存在する。
【００２８】
図１のようにシフトレジスタは、単位レジスタＲｅｓ１、Ｒｅｓ２、・・・と、トランジスタＴｒ３−１、Ｔｒ３−２・・・（何れか１つを指す場合はＴｒ３と略す）と、トランジスタＴｒ６と、インバータ１１とを備え、トランジスタＴｒ６とインバータ１１出力とによって最終段の入力信号をリセットするように構成されている。
【００２９】
単位レジスタＲｅｓは、入力信号Ｉｎの論理値をクロック信号Ｃｌｋに同期して内部に記憶し、記憶した論理値を出力信号Ｏｕｔ及び出力信号Ｎｅｘｔとして出力する。ここで論理値はハイレベルとフローティングの２状態の何れか又はハイレベルとローレベルの２つの状態の何れかである。ただし、入力信号Ｉｎに現れる電圧は、単位レジスタ内部でブートされるので一時的にハイレベルよりも高電圧になる。単位レジスタｒｅｓの個々の構成は図８（ａ）に示した構成と同じであり、内部動作タイミングも図８（ｂ）と同じであるので説明を省略する。
【００３０】
トランジスタＴｒ３−１、３−２、３−３、・・・（同Ｔｒ３）は、それぞれ接続先の入力信号Ｉｎ１、Ｉｎ２、Ｉｎ３、・・・をリセットするリセットトランジスタである。例えば、トランジスタ３−２は、単位レジスタＲｅｓ３の出力Ｏｕｔ３がハイレベルのときに入力信号Ｉｎ２をローレベルにすることによって、入力信号Ｉｎ２に接続されている単位レジスタＲｅｓ２内のトランジスタＴｒ１のゲート容量とキャパシタＣ１の電荷を放電し、単位レジスタＲｅｓ１内のトランジスタＴｒ２のゲート容量の電荷を放電する。もし、リセットしなければ単位レジスタ内部にいつまでも電荷が残りハイレベルを出力し続けるからである。リセットされた次のクロック信号では出力信号Ｏｕｔ及びＮｅｘｔは、ローレベル出力又はハイインピーダンスとなる。なお、トランジスタＴｒ３−１は、スタートパルスが入力される入力信号Ｉｎ１が、ハイレベルとフローティングの２状態ではなく、ハイレベルとローレベルの２状態をとる場合は省略してもよい。
【００３１】
トランジスタＴｒ３−４は、インバータ１１の出力がハイレベルのときにオンになり、オン状態でローレベルを単位レジスタＲｅｓ３のＮｅｘｔ信号及びトランジスタＴｒ６を介して最終段の単位レジスタＲｅｓ４のＩｎ信号に出力することにより、当該単位レジスタへの入力信号Ｉｎをリセットするためのリセットトランジスタである。
【００３２】
トランジスタＴｒ６は、クロック信号Ｃｌｋ１がハイレベルの時にオンになる。これによりクロック信号Ｃｌｋ１がハイレベルであり、かつ、インバータ１１の出力がハイレベルであれば、最終段の単位レジスタへの入力信号がリセットされることになる。言い換えれば、トランジスタＴｒ６は、インバータ１１の出力がハイレベルになったときに出力信号Ｏｕｔ４の出力完了後に最終段の単位レジスタの入力Ｉｎをリセットするために設けられている。
【００３３】
インバータ１１は、最終段よりも２段前の単位レジスタの出力号Ｎｅｘｔ２を入力信号ＩｎｖＩＮとし、その論理値を反転した出力信号ＩｎｖＯｕｔをリセットトランジスタｔｒ３−４に出力する。
【００３４】
図２（ａ）は、インバータ１１の回路例を示す図である。同図（ａ）のようにインバータ１１は、プルアップ抵抗Ｒ１とトランジスタＴｒ１１とからなる。入力信号ＩｎｖＩＮがローレベルであれば、トランジスタＴｒ１１がオフするのでプルアップ抵抗Ｒ１からのハイレベルを出力信号ＩｎｖＯｕｔとして出力し、入力信号ＩｎｖＩＮがハイレベルであれば、トランジスタＴｒ１１がオンするのでトランジスタＴｒ１１を介してローレベルを出力信号ＩｎｖＯｕｔとして出力する。
【００３５】
インバータ１１の回路例は、同図（ａ）の代わりに同図（ｂ）の回路例としてもよい。同図（ｂ）の回路例は同図（ａ）と比較して、プルアップ抵抗Ｒ１の代わりにトランジスタＴｒ１２を備える。入力信号ＩｎｖＩＮがローレベルであれば、トランジスタＴｒ１１がオフし、トランジスタＴｒ１２がオンするのでハイレベルを出力信号ＩｎｖＯｕｔとして出力し、入力信号ＩｎｖＩＮがハイレベルであれば、トランジスタＴｒ１１がオンし、トランジスタＴｒ１２がオフになるのでローレベルを出力信号ＩｎｖＯｕｔとして出力する。
【００３６】
図３は、図１に示したシフトレジスタの動作タイミングを示すタイムチャートである。同図においてクロック信号Ｃｌｋ１、Ｃｌｋ２、入力信号（又は内部データ）Ｉｎ１〜Ｉｎ４、ＩｎｖＩｎ信号、ＩｎｖＯｕｔ信号、出力信号Ｏｕｔ１〜Ｏｕｔ４は、図１に示した信号である。
【００３７】
同図において最終段の単位レジスタＲｅｓ４以外の単位レジスタへの入力信号Ｉｎのリセットは、既に説明した図９と同様なので説明を省略し、最終段について説明する。
【００３８】
最終段の単位レジスタＲｅｓ４の出力信号Ｏｕｔ４がハイレベルになると、トランジスタ３−３がオンすることにより単位レジスタＲｅｓ２内の一方向性トランジスタＴｒ２のゲート容量の電荷が放電され、単位レジスタＲｅｓ２の出力信号Ｎｅｘｔ２（つまりＩｎｖＩＮ）がローレベルになる（図３及び図１中の▲１▼）。これによりインバータ１１の出力信号ＩｎｖＯｕｔはハイレベルになり（同▲２▼）、リセットトランジスタＴｒ３−４をオンにする。
【００３９】
リセットトランジスタＴｒ３−４をオンにより、単位レジスタＲｅｓ３内部の一方向性トランジスタＴｒ２の容量成分はリセットされるが、トランジスタＴｒ６がオフなので最終段の単位レジスタＲｅｓ４はまだリセットされない。このタイミング（同▲２▼）でトランジスタＴｒ６オフであるのはクロック信号Ｃｌｋ１がローレベルだからであり、もし、トランジスタＴｒ６がオンであれば、出力信号Ｏｕｔ４が立ち上がった途端にリセットされてしまうからである。
【００４０】
さらに、出力信号Ｏｕｔ４のハイレベル期間が終わり、クロック信号Ｃｌｋ１がハイレベルになったとき、トランジスタＴｒ６がオンになるので、リセットトランジスタＴｒ３−４からトランジスタＴｒ６を介して最終段の単位レジスタＲｅｓ４がリセットされる（同▲３▼）。
【００４１】
このように最終段の単位レジスタ入力信号は、２段前の単位レジスタのｎｅｘｔ信号を反転するインバータ１１と、リセットトランジスタＴｒ３−４と、クロック信号Ｃｌｋ１によりリセットタイミングを調整するトランジスタＴｒ６とによって、自身の出力信号Ｏｕｔ４が正常に立ち下がった後にリセットされる。これにより、最終段の単位レジスタから出力信号のパルスが出力され、つまりシフトレジスタのシフト動作が完了した直後に、最終段の単位レジスタへの入力信号をリセットしている。
【００４２】
以上説明してきたように本実施の形態におけるシフトレジスタによれば、１つのインバータと２つのトランジスタという簡易なリセット回路によって、最終段の単位レジスタへの入力信号をリセットすることができる。インバータは図２に示したようにトランジスタ１個又は２個相当なので、リセット回路は、トランジスタ３個又は４個相当の回路により実現することができる。
【００４３】
なお、特許文献１のような双方向シフトレジスタに対しては、上記実施の形態におけるリセット回路を、順方向シフトにおける最終段の単位レジスタと、逆方向シフトにおける最終段の単位レジスタの２箇所に備える構成とすればよい。
【００４４】
また、図４は、他の実施の形態におけるシフトレジスタの構成を示す図である。
同図のシフトレジスタは図１と比較して、最終段以外の単位レジスタへの入力信号ＩｎにトランジスタＴｒ６−１〜Ｔｒ６−３が追加されている点が異なる。トランジスタＴｒ６−１〜Ｔｒ６−３は、単位レジスタからみた入力信号Ｉｎの負荷容量をトランジスタＴｒ６の一個分に制限し、単位レジスタ内部のブート電圧の低下を防止するために備えられている。こうすれば、例えば、上記の双方向シフトレジスタのように、１つの単位レジスタに対して前段のレジスタ信号を入力するトランジスタと後段のレジスタ信号を入力するトランジスタとが接続される場合に、トランジスタＴｒ６を介して単位レジスタの入力に接続すれば、負荷容量を増大させることを防止することができる。その結果ブート電圧の低下を防止することができる。
【００４５】
さらに、図５は、もう１つの他の実施の形態におけるシフトレジスタの構成を示すブロック図である。図１及び図４に示したシフトレジスタでは、最終段の単位レジスタの入力信号を最終段の前々段の出力信号を用いてリセットしているのに対して、図５に示すシフトレジスタでは、前段の出力信号（Ｎｅｘｔ）を用いてリセットする構成例を示している。
【００４６】
【発明の効果】
本発明によれば、シフトレジスタの最終段の次段にリセット用の余分な単位レジスタを設ける必要がなく、また、全単位レジスタを同時にリセットする回路を備える必要もなく、最終段の単位レジスタを確実にリセットすることができるという効果がある。
【００４７】
また、最終段の出力信号が出力されてシフト動作を完了した直後に、最終段の単位レジスタを確実にリセットすることができるという効果がある。
さらに、トランジスタ２個とインバータ１個という簡易な構成によって、最終段の単位レジスタのリセット回路を実現することができる。
【００４８】
また、本発明の固体撮像装置の駆動方法及びカメラも上記と同様の効果を有する。
【図面の簡単な説明】
【図１】本発明の実施の形態におけるシフトレジスタの構成を示すブロック図である。
【図２】（ａ）インバータの回路例を示す図である。
（ｂ）インバータの他の回路例を示す図である。
【図３】シフトレジスタの動作タイミングを示すタイムチャートである。
【図４】他の実施の形態におけるシフトレジスタの構成を示す図である。
【図５】さらに他の実施の形態におけるシフトレジスタの構成を示す図である。
【図６】固体撮像装置の概略構成を示すブロック図である。
【図７】従来のＮＭＯＳダイナミック型のシフトレジスタの構成を示すブロック図である。
【図８】（ａ）単位レジスタの構成を示す回路図である。
（ｂ）単位レジスタの動作タイミングを示すタイムチャートである。
【図９】従来のシフトレジスタにおけるシフト動作を示すタイムチャートである。
【符号の説明】
１１  インバータ
６１  撮像部
６２  シフトレジスタ
６３  シフトレジスタ
６４  信号処理部
６５  プリアンプ
Ｒｅｓ１〜Ｒｅｓ４  単位レジスタ
Ｔｒ１  トランジスタ
Ｔｒ２  トランジスタ
Ｔｒ３−１〜Ｔｒ３−４  トランジスタ
Ｔｒ６−１〜Ｔｒ６−４  トランジスタ
Ｔｒ１１  トランジスタ
Ｔｒ１２  トランジスタ
Ｃ１  キャパシタ
【図１】
2004289250.tif 000003
【図２】
2004289250.tif 000004
【図３】
2004289250.tif 000005
【図４】
2004289250.tif 000006
【図５】
2004289250.tif 000007
【図６】
2004289250.tif 000008
【図７】
2004289250.tif 000009
【図８】
2004289250.tif 000010
【図９】
2004289250.tif 000011